(57)【特許請求の範囲】
【請求項１】
対物レンズを保持するレンズ保持部と、光ピックアップ装置に固着された支持軸に対して回動及び摺動可能に支持され中心部に配置される軸受部と、該軸受部を中心にほぼ円筒形状に形成され外周面に駆動コイルが設けられるコイル配置部とを薄肉状に形成すると共に、前記レンズ保持部と軸受部とコイル配置部とを直線状で薄肉状の補強リブで相互に連結して、尚かつ前記補強リブは前記レンズ保持部と軸受部とコイル配置部とのそれぞれの軸方向の両端面に亘って形成されて、尚且つ前記補強リブと前記レンズ保持部の外部と前記軸受部の外部と前記コイル配置部のいずれかで囲まれる空間を前記軸受部の径方向および周方向に複数形成し、さらに前記コイル配置部が前記レンズ保持部と連結され、その連結部は前記コイル配置部の軸方向の両端に亘ることを特徴とする光ピックアップ装置の対物レンズホルダ。
【請求項２】
前記軸受部を挟んで前記レンズ保持部の反対側の位置にバランスウエイト部を設けたことを特徴とする請求項１記載の光ピックアップ装置の対物レンズホルダ。
【請求項３】
前記バランスウエイト部に金属片を固着したことを特徴とする請求項２記載の光ピックアップ装置の対物レンズホルダ。
【請求項４】
前記軸受部の中心線と前記レンズ保持部の中心線とを含む平面に対して面対称形状となることを特徴とする請求項１から請求項３までのいずれかに記載の光ピックアップ装置の対物レンズホルダ。
【請求項５】
前記軸受部の中心線と前記レンズ保持部の中心線とを含む平面に直交すると共に軸受部の中心線を含む平面を挟んで、レンズ保持部側の回転モーメントとバランスウエイト部側の回転モーメントとを等しくしたことを特徴とする請求項２から請求項４までのいずれかに記載の光ピックアップ装置の対物レンズホルダ。
【発明の詳細な説明】
【０００１】
【発明の属する技術分野】
本発明は、光ディスク装置等に組み込まれる光ピックアップ装置の対物レンズを保持する対物レンズホルダに関する。更に詳述すると、本発明は、対物レンズホルダの構造に関する。
【０００２】
【従来の技術】
デジタル記録媒体である光ディスクの再生を行う光ディスク装置に組み込まれている光ピックアップ装置としては、従来、例えば特開平７−１１０９５５号に開示されているものがある。図９に示すように、この光ピックアップ装置１は、支持軸２に対して回転及び摺動可能な対物レンズホルダ３と、該対物レンズホルダ３の外側面に取り付けられたフォーカシング用駆動コイル４及びトラッキング用駆動コイル５と、これら駆動コイル４，５の外側に配置された駆動マグネット６とを備えている。対物レンズホルダ３は、対物レンズ７を保持するレンズ保持部３ａと、支持軸２に支持される軸受部３ｂと、外側面に各駆動コイル４，５が設けられるコイル配置部３ｃと、これらレンズ保持部３ａと軸受部３ｂ、コイル配置部３ｃとを連結する厚肉状の連結部３ｄとを備えている。
【０００３】
【発明が解決しようとする課題】
しかしながら、上述した光ピックアップ装置１では、対物レンズホルダ３の重量が大きいため、高次共振周波数は小さいものとなってしまう。このため、フォーカシング動作やトラッキング動作の際に、対物レンズホルダ３が発振し易いものとなる。これにより、対物レンズホルダ３の位置制御が困難であった。
【０００４】
高次共振周波数を増大させるには、対物レンズホルダ３の重量を小さくすることが有効である。このためには、対物レンズホルダ３の各部を薄肉状にして肉抜きを行えば良い。しかし、単に各部を薄肉状にすると対物レンズホルダ３の剛性が低下してしまい、変形し易くなってしまう。
【０００５】
そこで、本発明は、剛性を低下させることなく、高次共振周波数を大きくすることができる対物レンズホルダを提供することを目的とする。
【０００６】
【課題を解決するための手段】
かかる目的を達成するため、請求項１の光ピックアップ装置の対物レンズホルダは、対物レンズを保持するレンズ保持部と、光ピックアップ装置に固着された支持軸に対して回動及び摺動可能に支持され中心部に配置される軸受部と、該軸受部を中心にほぼ円筒形状に形成され外周面に駆動コイルが設けられるコイル配置部とを薄肉状に形成すると共に、レンズ保持部と軸受部とコイル配置部とを直線状で薄肉状の補強リブで相互に連結して、尚かつ補強リブはレンズ保持部と軸受部とコイル配置部とのそれぞれの軸方向の両端面に亘って形成されて、尚且つ補強リブとレンズ保持部の外部と軸受部の外部とコイル配置部のいずれかで囲まれる空間を軸受部の径方向および周方向に複数形成し、さらにコイル配置部がレンズ保持部と連結され、その連結部はコイル配置部の軸方向の両端に亘るようにしている。
【０００７】
したがって、レンズ保持部と軸受部、コイル配置部、補強リブとを薄肉状に形成しているので、対物レンズホルダの重量が軽量化される。このため、対物レンズホルダを駆動させる際に、高次共振周波数が大きくなる。また、直線状の補強リブを備えていると共に補強リブはレンズ保持部と軸受部とコイル配置部とのそれぞれの軸方向の両端面に亘って形成されているので、剛性が大きくなる。このため、対物レンズホルダの変形自由度が低減し、変形し難くなる。
【０００８】
また、請求項２の光ピックアップ装置の対物レンズホルダは、軸受部を挟んでレンズ保持部の反対側の位置にバランスウエイト部を設けている。したがって、軸受部を中心に、レンズ保持部側とその反対側とで重量のバランスが保たれる。このため、対物レンズホルダによりフォーカシング動作やトラッキング動作が行われる際に、支持軸に対して安定した摺動や回動が行われる。
【０００９】
さらに、請求項３の光ピックアップ装置の対物レンズホルダは、バランスウエイト部に金属片を固着している。このため、バランスウエイト部の体積は小さいものとなる。
【００１０】
また、請求項４の光ピックアップ装置の対物レンズホルダは、軸受部の中心線とレンズ保持部の中心線とを含む平面に対して面対称形状となるようにしている。このため、この平面を挟む一の側部と他の側部とは等しい重量となって、重量のバランスが保たれる。このため、対物レンズホルダによりフォーカシング動作やトラッキング動作が行われる際に、支持軸に対して安定した摺動や回動が行われる。
【００１１】
さらに、請求項５の光ピックアップ装置の対物レンズホルダは、軸受部の中心線とレンズ保持部の中心線とを含む平面に直交すると共に軸受部の中心線を含む平面を挟んで、レンズ保持部側の回転モーメントとバランスウエイト部側の回転モーメントとを等しくしている。したがって、対物レンズホルダが支持軸に対して回動するトラッキング動作が行われる際に、回動が安定して行われる。
【００１２】
【発明の実施の形態】
以下、本発明の構成を図面に示す実施の形態に基づいて詳細に説明する。
【００１３】
図１に示すように、本発明の第１の実施形態の光ピックアップ装置の対物レンズホルダ８は、対物レンズ（図示せず）を保持するレンズ保持部９と、光ピックアップ装置に固着された支持軸（図示せず）に対して回動及び摺動可能に支持され中心部に配置される軸受部１０と、該軸受部１０を中心にほぼ円筒形状に形成され外周面に駆動コイル（図示せず）が設けられるコイル配置部１１とを薄肉状に形成すると共に、レンズ保持部９と軸受部１０とコイル配置部１１とを直線状で薄肉状の補強リブ１２で相互に連結している。
【００１４】
コイル配置部１１の外側面には、図示しないフォーカシング用駆動コイルとトラッキング用駆動コイルとが接着等により取り付けられる。また、コイル配置部１１の一部は、ほぼ円筒形状のレンズ保持部９の外側部に結合されている。
【００１５】
補強リブ１２は、軸受部１０を中心に４５度ごとに放射状に形成され軸受部１０とコイル配置部１１とを連結する放射リブ１２ｄと、各放射リブ１２ｄのうち１本おきのものについて、それらの中央部を直線的に連結する中間リブ１２ｅとにより構成されている。中間リブ１２ｅ同士が直交する部分のうち１カ所には、コイル配置部１１と中間リブ１２ｅ、放射リブ１２ｄとに結合されたレンズ保持部９が配設されている。各補強リブ１２は、軸受部１０の中心線と平行で、対物レンズホルダ８の上端面から下端面までを占めている。このため、対物レンズホルダ８の剛性を十分大きくすることができる。また、これらレンズ保持部９と軸受部１０、コイル配置部１１、補強リブ１２とは、例えばプラスチック一体成型等で形成されている。
【００１６】
ここで、放射リブ１２ｄは４５度ごとでなく、例えば６０度ごとに設けても構わない。また、放射リブ１２ｄは軸受部１０とコイル配置部１１とを連結するものであれば、放射状でなくても構わない。例えば、軸受部１０の外周部の接線方向と平行な直線状とすることができる。一方、中間リブ１２ｅは各放射リブ１２ｄ同士を直線的に連結するものであれば、中間部同士を連結しなくても構わない。
【００１７】
ここで、対物レンズホルダ８の全体の重量バランスがとれるように、コイル配置部１１と各補強リブ１２との形状・配置位置は、軸受部１０の中心線に対して線対称の形状・配置位置とするか、レンズ保持部９の中心線と軸受部１０の中心線とを含む平面を中心に面対称の形状・配置位置とすることが望ましい。
【００１８】
また、各補強リブ１２を直線状としているので、同じ位置同士を曲線状の補強リブ１２で連結する場合に比べて、短い補強リブ１２で同等の剛性を維持することができる。このため、軽量化を図ることができる。
【００１９】
上述した対物レンズホルダ８を光ピックアップ装置に組み込んで駆動させると、軽量化されているため高次共振周波数が大きくなる。このため、フォーカシング動作やトラッキング動作により対物レンズホルダ８の位置を制御する際に対物レンズホルダ８が発振し難くなる。これにより、位置制御を容易に精度良く行うことができるようになる。また、放射リブ１２ｄと中間リブ１２ｅとの連結により、対物レンズホルダ８の強度を維持することができる。
【００２０】
なお、上述の実施例は本発明の好適な実施の一例ではあるがこれに限定されるものではなく本発明の要旨を逸脱しない範囲において種々変形実施可能である。
【００２１】
例えば、レンズ保持部９や軸受部１０、コイル配置部１１、補強リブ１２の形状は、第１の実施形態の形状に限られず、様々な形状にすることができる。以下、図３から図８に示す各実施形態の対物レンズホルダ８の形状について説明する。但し、これらの実施形態に限定されないことは勿論である。
【００２２】
第２の実施形態の対物レンズホルダ８は、図３に示すように、図１に示す第１の実施形態の対物レンズホルダ８にバランスウエイト部１２ｆを備えている。バランスウエイト部１２ｆは、軸受部１０を中心にレンズ保持部９と反対側に位置し、コイル配置部１１の凹部により形成されている。バランスウエイト部１２ｆには金属板１４が接着や嵌合等により取り付けられている。
【００２３】
このため、軸受部１０を挟んでレンズ保持部９側とバランスウエイト部１２ｆ側とで回転モーメントを等しくすることができ、対物レンズホルダ８の重量バランスが良くなる。これにより、支持軸に対して安定した回動や摺動を行うことができるようになり、位置制御の精度を向上することができる。さらに、バランスウエイト部１２ｆに金属板１４を取り付けているので、バランスウエイト部１２ｆの小型化を図ることができる。このため、対物レンズホルダ８の小型化を図ることができる。
【００２４】
第３の実施形態の対物レンズホルダ８は、図４に示すように、図１に示す第１の実施形態の対物レンズホルダ８の中間リブ１２ｅを、各放射リブ１２ｄの中央部同士を直線状に連結したものとしている。なお、中間リブ１２ｅは各放射リブ１２ｄ同士を連結するものであれば、中央部同士を連結しなくても構わない。
【００２５】
第４の実施形態の対物レンズホルダ８は、図５に示すように、図４に示す第３の実施形態の対物レンズホルダ８にバランスウエイト部１２ｆを備えている。バランスウエイト部１２ｆは、軸受部１０を中心にレンズ保持部９と反対側に位置し、コイル配置部１１の凹部により形成されている。バランスウエイト部１２ｆには金属板１４が接着や嵌合等により取り付けられている。
【００２６】
このため、軸受部１０を挟んでレンズ保持部９側とバランスウエイト部１２ｆ側とで回転モーメントを等しくすることができ、対物レンズホルダ８の重量バランスが良くなる。これにより、支持軸に対して安定した回動や摺動を行うことができるようになり、位置制御の精度を向上することができる。
【００２７】
第５の実施形態の対物レンズホルダ８は、図６に示すように、図１に示す第１の実施形態の対物レンズホルダ８にバランスウエイト部１２ｇを備えている。バランスウエイト部１２ｇは、軸受部１０を中心にレンズ保持部９と反対側に位置する。このバランスウエイト部１２ｇは、コイル配置部１１と放射リブ１２ｄとの結合部分の隅肉を厚くした形状で一体成型により形成されている。このため、対物レンズホルダ８の重量バランスが良く、支持軸に対して安定した摺動・回動を行うことができる。また、一体成型で形成されるので、対物レンズホルダ８の製造の作業速度を向上することができる。
【００２８】
第６の実施形態の対物レンズホルダ８は、図７に示すように、補強リブ１２を、レンズ保持部９の中心線と軸受部１０の中心線とを含む平面にほぼ平行でこれらレンズ保持部９及び軸受部１０の両側部同士とコイル配置部１１とを連結する縦リブ１２ｈと、該縦リブ１２ｈにほぼ直交し各縦リブ１２ｈとこれに対向するコイル配置部１１とを連結する横リブ１２ｉと、これら縦リブ１２ｈと横リブ１２ｉとの連結部分を補強するため斜めに連結された補助リブ１２ｊとにより構成している。各縦リブ１２ｈ、横リブ１２ｉ、補助リブ１２ｊは、直線状とされている。
【００２９】
ここで、横リブ１２ｉと補助リブ１２ｊとの数は、単数でも複数でも構わない。また、横リブ１２ｉは縦リブ１２ｈとコイル配置部１１とを結合するものであれば、縦リブ１２ｈにほぼ直交しなくても構わない。例えば、軸受部１０の外周部の接線方向と平行な直線状とすることができる。一方、補助リブ１２ｊは縦リブ１２ｈと横リブ１２ｉとを直線的に連結するものであれば、連結位置は限定されない。
【００３０】
第７の実施形態の対物レンズホルダ８は、図８に示すように、図１に示す第１の実施形態の対物レンズホルダ８に他のレンズ保持部１５を備えている。他のレンズ保持部１５は、一のレンズ保持部９が配置された中間リブ１２ｅ同士の直交位置の隣の直交位置を中心としてに配置されている。また、２つのレンズ保持部９，１５の間に配置される放射リブ１２ｄの軸受部１０を挟んで反対側に位置する放射リブ１２ｄは、中間リブ１２ｅとコイル配置部１１との間に形成されている。このため、当該中間リブ１２ｅと軸受部１０との間に空間が形成される。この空間を、各駆動コイルのリード線を収容する収容部１２ｋとして利用することができる。
【００３１】
以上に述べた第２から第７の実施形態の対物レンズホルダ８であっても、軽量化されているので、高次共振周波数を大きくすることができる。また、対物レンズホルダ８の剛性を、十分に大きくすることができる。
【００３２】
なお、上述した第１から第７の実施形態の対物レンズホルダ８では、補強リブ１２とコイル配置部１１とにより囲まれる空間について特に説明していないが、例えば、内ヨークが内在するヨーク孔や各駆動コイルのリード線が挿通する挿通孔を設けたものであっても構わない。
【００３３】
【発明の効果】
以上の説明より明らかなように、請求項１の光ピックアップ装置の対物レンズホルダは、レンズ保持部と軸受部、コイル配置部、補強リブとを薄肉状に形成しているので、対物レンズホルダの重量を軽量化することができる。このため、対物レンズホルダを駆動させる際に、高次共振周波数が大きくなるので、対物レンズホルダの位置を制御する際に対物レンズホルダが発振し難くなり、位置制御を容易に精度良く行うことができるようになる。また、直線状の補強リブを備えていると共に補強リブはレンズ保持部と軸受部とコイル配置部とのそれぞれの軸方向の両端面に亘って形成されているので、剛性が大きくなる。このため、対物レンズホルダの変形自由度が低減し、変形し難くすることができる。
【００３４】
また、請求項２の光ピックアップ装置の対物レンズホルダは、軸受部を挟んでレンズ保持部の反対側の位置にバランスウエイト部を設けているので、軸受部を中心にレンズ保持部側とその反対側とで重量のバランスを保つことができる。このため、対物レンズホルダによりフォーカシング動作やトラッキング動作が行われる際に、支持軸に対して安定した摺動や回動を行うことができる。これにより、対物レンズホルダの位置制御を容易に精度良く行うことができる。
【００３５】
さらに、請求項３の光ピックアップ装置の対物レンズホルダは、バランスウエイト部に金属片を固着しているので、バランスウエイト部の体積を小さくすることができる。このため、対物レンズホルダの小型化を図ることができる。
【００３６】
また、請求項４の光ピックアップ装置の対物レンズホルダは、軸受部の中心線とレンズ保持部の中心線とを含む平面に対して面対称形状となるようにしているので、この平面を挟む一の側部と他の側部とは等しい重量となって、重量のバランスが保たれる。このため、対物レンズホルダによりフォーカシング動作やトラッキング動作が行われる際に、支持軸に対して安定した摺動や回動を行うことができる。これにより、対物レンズホルダの位置制御を容易に精度良く行うことができる。
【００３７】
さらに、請求項５の光ピックアップ装置の対物レンズホルダは、軸受部の中心線とレンズ保持部の中心線とを含む平面に直交すると共に軸受部の中心線を含む平面を挟んで、レンズ保持部側の回転モーメントとバランスウエイト部側の回転モーメントとを等しくしているので、トラッキング動作が行われる際に対物レンズホルダの回動が安定して行われる。これにより、対物レンズホルダの位置制御を容易に精度良く行うことができる。
【図面の簡単な説明】
【図１】本発明の対物レンズホルダの第１の実施形態を示し、（Ａ）はＩ−Ｉ線での断面図、（Ｂ）は平面図である。
【図２】駆動コイルへの入力周波数と利得との関係を示すボード線図である。
【図３】本発明の対物レンズホルダの第２の実施形態を示し、（Ａ）はIII−III線での断面図、（Ｂ）は平面図である。
【図４】本発明の対物レンズホルダの第３の実施形態を示し、（Ａ）はIV−IV線での断面図、（Ｂ）は平面図である。
【図５】本発明の対物レンズホルダの第４の実施形態を示し、（Ａ）はＶ−Ｖ線での断面図、（Ｂ）は平面図である。
【図６】本発明の対物レンズホルダの第５の実施形態を示し、（Ａ）はVI−VI線での断面図、（Ｂ）は平面図である。
【図７】本発明の対物レンズホルダの第６の実施形態を示し、（Ａ）はVII−VII線での断面図、（Ｂ）は平面図である。
【図８】本発明の対物レンズホルダの第７の実施形態を示し、（Ａ）はVIII−VIII線での断面図、（Ｂ）は平面図である。
【図９】従来の光ピックアップ装置を示す平面図である。
【符号の説明】
８  対物レンズホルダ
９  レンズ保持部
１０  軸受部
１１  コイル配置部
１２  補強リブ
１２ｆ  バランスウエイト部
１２ｇ  バランスウエイト部
１４  金属板
【図１】
0003638914.tif 000002
【図２】
0003638914.tif 000003
【図３】
0003638914.tif 000004
【図４】
0003638914.tif 000005
【図５】
0003638914.tif 000006
【図６】
0003638914.tif 000007
【図７】
0003638914.tif 000008
【図８】
0003638914.tif 000009
【図９】
0003638914.tif 000010